(57)【要約】【課題】低いリーク電流と高い過電圧保護機能を両立した差動増幅器を提供する。【解決手段】差動増幅器は、第１外部入力端子と、第１外部入力端子と第１定電位部位の間に接続されており、第１外部入力端子から第１定電位部位に向けて逆方向となるように接続されている第１ダイオードと、第１外部入力端子と第１ダイオードの間に接続されており、第１外部入力端子から第１ダイオードに向けて逆方向となるように接続されている第２ダイオードと、第１ダイオードと第２ダイオードの間の第１接続点と第１外部入力端子の間に接続されており、第２ダイオードに対して並列に接続されており、第１外部入力端子から第１接続点に向けて順方向となるように接続されている第３ダイオードと、第１接続点の電位を第１外部入力端子の電位と同電位となるように調整する第１電位調整回路と、を備える。【選択図】図１
2018078466.tif 000002
【特許請求の範囲】
【請求項１】
差動増幅器であって、
第１外部入力端子と、
前記第１外部入力端子と第１定電位部位の間に接続されており、前記第１外部入力端子から前記第１定電位部位に向けて逆方向となるように接続されている第１ダイオードと、
前記第１外部入力端子と前記第１ダイオードの間に接続されており、前記第１外部入力端子から前記第１ダイオードに向けて逆方向となるように接続されている第２ダイオードと、
前記第１ダイオードと第２ダイオードの間の第１接続点と前記第１外部入力端子の間に接続されており、前記第２ダイオードに対して並列に接続されており、前記第１外部入力端子から前記第１接続点に向けて順方向となるように接続されている第３ダイオードと、
前記第１接続点の電位を前記第１外部入力端子の電位と同電位となるように調整する第１電位調整回路と、を備える、差動増幅器。
【請求項２】
前記第１接続点と第２定電位部位の間に接続されており、前記第１接続点から前記第２定電位部位に向けて順方向となるように接続されている第４ダイオードをさらに備えており、
前記第２定電位部位の電位は、前記第１定電位部位の電位よりも高い、請求項１に記載の差動増幅器。
【請求項３】
第２外部入力端子をさらに備えており、
前記第１電位調整回路は、入力端子が前記第２外部入力端子に接続されているとともに出力端子が前記第１接続点に接続されているボルテージフォロア回路を有する、請求項１又は２に記載の差動増幅器。
【請求項４】
前記第２外部入力端子と前記第１定電位部位の間に接続されており、前記第２外部入力端子から前記第１定電位部位に向けて逆方向となるように接続されている第５ダイオードと、
前記第２外部入力端子と前記第５ダイオードの間に接続されており、前記第２外部入力端子から前記第５ダイオードに向けて逆方向となるように接続されている第６ダイオードと、
前記第５ダイオードと第６ダイオードの間の第２接続点と前記第２外部入力端子の間に接続されており、前記第６ダイオードに対して並列に接続されており、前記第２外部入力端子から前記第２接続点に向けて順方向となるように接続されている第７ダイオードと、
前記第２接続点の電位を前記第２外部入力端子の電位と同電位となるように調整する第２電位調整回路と、をさらに備える請求項３に記載の差動増幅器。
【請求項５】
前記第１電位調整回路が、前記第２電位調整回路を兼用する、請求項４に記載の差動増幅器。
【請求項６】
前記第２接続点と前記第２定電位部位の間に接続されており、前記第２接続点から前記第２定電位部位に向けて順方向となるように接続されている第８ダイオードをさらに備える、請求項４又は５に記載の差動増幅器。
【発明の詳細な説明】
【技術分野】
【０００１】
本明細書が開示する技術は、静電気等の過電圧に対する保護機能を有する差動増幅器に関する。
【背景技術】
【０００２】
外部入力端子に加わる静電気に対策するために、外部入力端子と定電位部位（例えばグランド電位部位）の間に接続されているＥＳＤ保護用のダイオードを備える差動増幅器が知られている。ダイオードは、外部入力端子から定電位部位に向けて逆方向となるように接続されている。これにより、外部入力端子に静電気が加わって外部入力端子と定電位部位の間の電位差がダイオードのブレークダウン電圧を超えたときに、ダイオードが導通して静電気の電荷を放電する。
【０００３】
このような差動増幅器では、高温動作時にダイオードを介して流れるリーク電流が問題となる。特許文献１は、外部入力端子と定電位部位の間にＥＳＤ保護用の一対のダイオードを直列接続させる技術を開示する。この差動増幅器は、一対のダイオードの接続点の電位を外部入力端子の電位と同電位となるように調整する。これにより、外部入力端子側に接続されているダイオードの両端電圧が等しくなり、そのダイオードを介して定電位部位に向けて流れるリーク電流が抑えられる。
【先行技術文献】
【特許文献】
【０００４】
【特許文献１】特開２０１４−１１４３３号公報（特に、図３）
【発明の概要】
【発明が解決しようとする課題】
【０００５】
特許文献１の差動増幅器では、外部入力端子と定電位部位の間に一対のダイオードが直列接続されているので、一対のダイオードがブレークダウンするための保護電圧が高くなる。この結果、一対のダイオードが導通する前に、差動増幅器の内部回路に過電圧が印加されることが懸念される。本明細書は、低いリーク電流と高い過電圧保護機能を両立した差動増幅器を提供することを目的とする。
【課題を解決するための手段】
【０００６】
本明細書が開示する差動増幅器の一実施形態は、第１外部入力端子、第１ダイオード、第２ダイオード、第３ダイオード及び第１電位調整回路を備えることができる。ここで、ダイオードとは、ダイオード構造を有する様々な種類を含む。例えば、ダイオードは、ダイオード構造のみを有するものに限らず、ダイオード接続されたＭＯＳＦＥＴであってもよい。第１ダイオードは、第１外部入力端子と第１定電位部位の間に接続されており、第１外部入力端子から第１定電位部位に向けて逆方向となるように接続されている。第２ダイオードは、第１外部入力端子と第１ダイオードの間に接続されており、第１外部入力端子から第１ダイオードに向けて逆方向となるように接続されている。このように、第１ダイオードと第２ダイオードは、第１外部入力端子と第１定電位部位の間に直列接続されている。第３ダイオードは、第１ダイオードと第２ダイオードの間の第１接続点と第１外部入力端子の間に接続されており、第２ダイオードに対して並列に接続されており、第１外部入力端子から第１接続点に向けて順方向となるように接続されている。このように、第２ダイオードと第３ダイオードは、第１外部入力端子と第１定電位部位の間に並列接続されているとともに相互に逆向きに接続されている。第１電位調整回路は、第１ダイオードと第２ダイオードの間の第１接続点の電位を第１外部入力端子の電位と同電位となるように調整する。この実施形態の差動増幅器では、第１ダイオードと第２ダイオードの間の第１接続点の電位が第１外部入力端子の電位と同電位となるように調整されているので、第１外部入力端子と第１接続点の間に接続されている第２ダイオードと第３ダイオードの各々の両端電圧が等しくなり、これら第２ダイオードと第３ダイオードを介して第１定電位部位に向けて流れるリーク電流が抑えられる。さらに、この実施形態の差動増幅器では、第３ダイオードが第１外部入力端子から第１定電位部位に向けて順方向となるように接続されているので、第１外部入力端子と第１定電位部位の間の保護電圧の大きさは、実質的に第１ダイオードのみに依存する。したがって、この実施形態の差動増幅器は、第１外部入力端子に加わる静電気等の過電圧に対して、低い保護電圧で過電圧保護機能を発揮することができる。このように、この実施形態の差動増幅器は、低いリーク電流と高い過電圧保護機能を両立することができる。
【０００７】
上記実施形態の差動増幅器は、第４ダイオードをさらに備えていてもよい。第４ダイオードは、第１ダイオードと第２ダイオードの間の第１接続点と第２定電位部位の間に接続されており、第１接続点から第２定電位部位に向けて順方向となるように接続されている。第２定電位部位の電位は、第１定電位部位の電位よりも高い。この実施形態の差動増幅器では、第１外部入力端子と第２定電位部位の間の電位差が広がるような場合でも、過電圧保護機能を発揮することができる。
【０００８】
上記実施形態の差動増幅器は、第２外部入力端子をさらに備えていてもよい。第１電位調整回路は、入力端子が第２外部入力端子に接続されているとともに出力端子が第１ダイオードと第２ダイオードの間の第１接続点に接続されているボルテージフォロア回路を有する。この実施形態の差動増幅器では、バーチャルショートによって、第１外部入力端子と第２外部入力端子の電位が等しい。さらに、ボルテージフォロア回路が第１ダイオードと第２ダイオードの間の第１接続点の電位を第２外部入力端子の電位と等しくなるように維持する。これにより、この実施形態の差動増幅器では、第１ダイオードと第２ダイオードの間の第１接続点の電位が第１外部入力端子の電位と同電位となるように調整される。
【０００９】
上記実施形態の差動増幅器は、第５ダイオード、第６ダイオード、第７ダイオード及び第２電位調整回路をさらに備えていてもよい。この実施形態の差動増幅器は、第２外部入力端子に加わる静電気等の過電圧に対しても保護機能を発揮することができる。第５ダイオードは、第２外部入力端子と第１定電位部位の間に接続されており、第２外部入力端子から第１定電位部位に向けて逆方向となるように接続されている。第６ダイオードは、第２外部入力端子と第５ダイオードの間に接続されており、第２外部入力端子から第５ダイオードに向けて逆方向となるように接続されている。このように、第５ダイオードと第６ダイオードは、第２外部入力端子と第１定電位部位の間に直列接続されている。第７ダイオードは、第５ダイオードと第６ダイオードの間の第２接続点と第２外部入力端子の間に接続されており、第６ダイオードに対して並列に接続されており、第２外部入力端子から第２接続点に向けて順方向となるように接続されている。このように、第６ダイオードと第７ダイオードは、第２外部入力端子と第１定電位部位の間に並列接続されているとともに相互に逆向きに接続されている。第２電位調整回路は、第５ダイオードと第６ダイオードの間の第２接続点の電位を第２外部入力端子の電位と同電位となるように調整する。この実施形態の差動増幅器では、第５ダイオードと第６ダイオードの間の第２接続点の電位が第２外部入力端子の電位と同電位となるように調整されているので、第２外部入力端子と第２接続点の間に接続されている第６ダイオードと第７ダイオードの各々の両端電圧が等しくなり、これら第６ダイオードと第７ダイオードを介して第１定電位部位に向けて流れるリーク電流が抑えられる。さらに、この実施形態の差動増幅器では、第７ダイオードが第２外部入力端子から第１定電位部位に向けて順方向となるように接続されているので、第２外部入力端子と第１定電位部位の間の保護電圧の大きさは、実質的に第５ダイオードのみに依存する。したがって、この実施形態の差動増幅器は、第２外部入力端子に加わる静電気等の過電圧に対して、低い保護電圧で過電圧保護機能を発揮することができる。このように、この実施形態の差動増幅器は、低いリーク電流と高い過電圧保護機能を両立することができる。
【００１０】
上記実施形態の差動増幅器では、第１電位調整回路が、第２電位調整回路を兼用してもよい。この電子回路は、簡素な回路構成でありながら、第２、第３、第６及び第７ダイオードを介して第１電位部位へ流れるリーク電流を抑えることができる。
【００１１】
上記実施形態の差動増幅器は、第８ダイオードをさらに備えていてもよい。第８ダイオードは、第５ダイオードと第６ダイオードの間の第２接続点と第２定電位部位の間に接続されており、第２接続点から第２定電位部位に向けて順方向となるように接続されている。この実施形態の電子回路では、第２外部入力端子と第２定電位部位の間の電位差が広がるような場合でも、過電圧保護機能を発揮することができる。
【図面の簡単な説明】
【００１２】
【図１】差動増幅器の回路構成を示す。
【図２】変形例の差動増幅器の回路構成を示す。
【発明を実施するための形態】
【００１３】
図１に示されるように、差動増幅器ＯＰ１は、反転入力端子Ｔ１、非反転入力端子Ｔ２、出力端子Ｔ３、複数のダイオードＤ１−３及び電位調整回路２を備える。差動増幅器ＯＰ１は、例えばチャージアンプ回路として用いられており、反転入力端子Ｔ１にセンサ出力信号が入力し、非反転入力端子Ｔ２に参照電圧が入力する。差動増幅器ＯＰ１は、反転入力端子Ｔ１に入力するセンサ出力信号を出力電圧ＶＯに変換し、出力端子Ｔ３に出力する。なお、反転入力端子Ｔ１が第１外部入力端子の一例であり、非反転入力端子Ｔ２が第２外部入力端子の一例であり、電位調整回路２が第１及び第２電位調整回路の一例である。
【００１４】
第１ダイオードＤ１は、反転入力端子Ｔ１と差動増幅器ＯＰ１の内部回路を接続する配線上の反転側接続点Ｐ１０と第１定電位部位（ＧＮＤ）の間に接続されており、反転側接続点Ｐ１０から第１定電位部位（ＧＮＤ）に向けて逆方向となるように接続されている。第１定電位部位（ＧＮＤ）の電位は、グランド電位に固定されている。
【００１５】
第２ダイオードＤ２は、反転側接続点Ｐ１０と第１ダイオードＤ１の間に接続されており、反転側接続点Ｐ１０から第１ダイオードＤ１に向けて逆方向となるように接続されている。このように、第１ダイオードＤ１と第２ダイオードＤ２は、反転側接続点Ｐ１０と第１定電位部位（ＧＮＤ）の間に直列接続されている。
【００１６】
第３ダイオードＤ３は、第１ダイオードＤ１と第２ダイオードＤ２の間の第１接続点Ｐ１と反転側接続点Ｐ１０の間に接続されており、第２ダイオードＤ２に対して並列に接続されており、反転側接続点Ｐ１０から第１接続点Ｐ１に向けて順方向となるように接続されている。このように、第２ダイオードＤ２と第３ダイオードＤ３は、反転側接続点Ｐ１０と第１接続点Ｐ１の間に並列接続されているとともに相互に逆向きに接続されている。
【００１７】
第１電位調整回路２は、ボルテージフォロア用オペアンプＯＰ２を有しており、第１及び第２ダイオードＤ１，Ｄ２の第１接続点Ｐ１の電位を反転入力端子Ｔ１の電位と同電位となるように調整するように構成されている。ボルテージフォロア用オペアンプＯＰ２は、入力端子が非反転入力端子Ｔ２に接続されているとともに出力端子が第１及び第２ダイオードＤ１，Ｄ２の第１接続点Ｐ１に接続されている。バーチャルショートによって反転入力端子Ｔ１の電圧ＶＭと非反転入力端子Ｔ２の電圧ＶＰが等しい。ボルテージフォロア用オペアンプＯＰ２は、電圧ＶＰ（即ち、電圧ＶＭ）を出力する。このため、第１及び第２ダイオードＤ１，Ｄ２の第１接続点Ｐ１の電位が反転入力端子Ｔ１の電位ＶＭと同電位となるように調整される。このように、差動増幅器ＯＰ１では、反転側接続点Ｐ１０と第１接続点Ｐ１の間に接続されている第２ダイオードＤ２と第３ダイオードＤ３の各々の両端電圧が等しくなり、これら第２ダイオードＤ２と第３ダイオードＤ３を介して第１定電位部位（ＧＮＤ）に向けて流れるリーク電流が抑えられる。
【００１８】
次に、差動増幅器ＯＰ１の静電気に対する保護機能について説明する。反転入力端子Ｔ１に静電気が加わると、反転入力端子Ｔ１の電位ＶＭが第１定電位部位（ＧＮＤ）の電位に対して正の向きに大きくなる。反転入力端子Ｔ１と第１定電位部位（ＧＮＤ）の電位差が第１ダイオードＤ１のブレークダウン電圧を超えたときに、第１ダイオードＤ１が導通する。これにより、静電気の電荷は、反転入力端子Ｔ１から第３ダイオードＤ３と第１ダイオードＤ１を介して第１定電位部位（ＧＮＤ）に放電される。この結果、差動増幅器ＯＰ１の内部回路に過電圧が印加されることが抑えられる。
【００１９】
差動増幅器ＯＰ１では、第３ダイオードＤ３が反転入力端子Ｔ１から第１定電位部位（ＧＮＤ）に向けて順方向となるように接続されているので、反転入力端子Ｔ１と第１定電位部位（ＧＮＤ）の間の保護電圧の大きさは、実質的に第１ダイオードＤ１のみに依存する。したがって、差動増幅器ＯＰ１は、反転入力端子Ｔ１に加わる静電気に対して、低い保護電圧で過電圧保護機能を発揮することができる。
【００２０】
また、差動増幅器ＯＰ１では、反転入力端子Ｔ１の電位ＶＭが第１定電位部位（ＧＮＤ）の電位よりも低くなったときには、第１ダイオードＤ１と第２ダイオードＤ２を介して電流が流れ、反転入力端子Ｔ１の電位ＶＭが負の向きに大きくなることが防止される。このように、差動増幅器ＯＰ１は、反転入力端子Ｔ１の電位ＶＭと第１定電位部位（ＧＮＤ）の電位差が広がる場合にも、また、反転入力端子Ｔ１の電位ＶＭが第１定電位部位（ＧＮＤ）の電位よりも低くなる場合にも、内部回路を過電圧から保護することができる。
【００２１】
上記したように、反転入力端子Ｔ１と第１定電位部位（ＧＮＤ）の電位差が広がる場合には第３ダイオードＤ３を順方向に電流が流れ、反転入力端子Ｔ１の電位ＶＭが第１定電位部位（ＧＮＤ）の電位よりも低くなる場合には第２ダイオードＤ２を順方向に電流が流れる。このため、第２及び第３ダイオードＤ２，Ｄ３はいずれも、小面積のダイオードによって形成することができる。差動増幅器ＯＰ１は、面積消費を抑えながら過電圧保護機能を有することができる。
【００２２】
図２に、変形例の差動増幅器ＯＰ１０を示す。なお、図１の差動増幅器ＯＰ１と共通する構成要素については共通の符号を付し、その説明を省略する。差動増幅器ＯＰ１０は、複数のダイオードＤ４−Ｄ８をさらに備えることを特徴とする。
【００２３】
第４ダイオードＤ４は、第１及び第２ダイオードＤ１，Ｄ２の第１接続点Ｐ１と第２定電位部位（ＶＤＤ）の間に接続されており、第１接続点Ｐ１から第２定電位部位（ＶＤＤ）に向けて順方向となるように接続されている。第２定電位部位（ＶＤＤ）の電位は、正の電源電圧に固定されている。
【００２４】
第５ダイオードＤ５は、非反転入力端子Ｔ２と差動増幅器ＯＰ１０の内部回路を接続する配線上の非反転側接続点Ｐ２０と第１定電位部位（ＧＮＤ）の間に接続されており、非反転側接続点Ｐ２０から第１定電位部位（ＧＮＤ）に向けて逆方向となるように接続されている。
【００２５】
第６ダイオードＤ６は、非反転側接続点Ｐ２０と第５ダイオードＤ５の間に接続されており、非反転側接続点Ｐ２０から第５ダイオードＤ５に向けて逆方向となるように接続されている。このように、第５ダイオードＤ５と第６ダイオードＤ６は、非反転側接続点Ｐ２０と第１定電位部位（ＧＮＤ）の間に直列接続されている。
【００２６】
第５ダイオードＤ５と第６ダイオードＤ６の間の第２接続点Ｐ２は、第１及び第２ダイオードＤ１，Ｄ２の第１接続点Ｐ１に接続されている。このため、第５及び第６ダイオードＤ５，Ｄ６の第２接続点Ｐ２の電位は、非反転入力端子Ｔ２の電位ＶＰと同電位となるように調整されている。このように、電位調整回路２は、第１及び第２ダイオードＤ１，Ｄ２の第１接続点Ｐ１の電位を反転入力端子Ｔ１の電位ＶＭと同電位に調整する機能と第５及び第６ダイオードＤ５，Ｄ６の第２接続点Ｐ２の電位を非反転入力端子Ｔ２の電位ＶＰと同電位に調整する機能を兼用することができる。
【００２７】
第７ダイオードＤ７は、第５及び第６ダイオードＤ５，Ｄ６の第２接続点Ｐ２と反転側接続点Ｐ２０の間に接続されており、第６ダイオードに対して並列に接続されており非反転入力端子Ｔ２から第２接続点Ｐ２に向けて順方向となるように接続されている。このように、第６ダイオードＤ６と第７ダイオードＤ７は、非反転入力端子Ｔ２と第２接続点Ｐ２の間に並列接続されているとともに相互に逆向きに接続されている。
【００２８】
第８ダイオードＤ８は、第５及び第６ダイオードＤ５，Ｄ６の第２接続点Ｐ２と第２定電位部位（ＶＤＤ）の間に接続されており、第２接続点Ｐ２から第２定電位部位（ＶＤＤ）に向けて順方向となるように接続されている。
【００２９】
次に、差動増幅器ＯＰ１０の特徴を説明する。上記したように、図１に示す差動増幅器ＯＰ１は、反転入力端子Ｔ１と第１定電位部位（ＧＮＤ）の電位差が広がる場合にも、また、反転入力端子Ｔ１の電位ＶＭが第１定電位部位（ＧＮＤ）の電位よりも低くなる場合にも、内部回路を過電圧から保護することができる。図２の差動増幅器ＯＰ１０は、これに加えて、反転入力端子Ｔ１と第２定電位部位（ＶＤＤ）の電位差が広がる場合にも、また、反転入力端子Ｔ１の電位ＶＭが第２定電位部位（ＶＤＤ）の電位よりも高くなる場合にも、内部回路を過電圧から保護することができる。
【００３０】
差動増幅器ＯＰ１０では、反転入力端子Ｔ１と第２定電位部位（ＶＤＤ）の電位差が広がる場合に、第２定電位部位（ＶＤＤ）から第４ダイオードＤ４と第２ダイオードＤ２を介して反転入力端子Ｔ１に向けて電流が流れる。また、差動増幅器ＯＰ１０では、反転入力端子Ｔ１の電位ＶＭが第２定電位部位（ＶＤＤ）の電位がよりも高くなる場合に、反転入力端子Ｔ１から第３ダイオードＤ３と第４ダイオードＤ４を介して第２定電位部位（ＶＤＤ）に向けて電流が流れる。このように、差動増幅器ＯＰ１０は、反転入力端子Ｔ１と第２定電位部位（ＶＤＤ）の電位差が広がる場合にも、また、反転入力端子Ｔ１の電位ＶＭが第２定電位部位（ＶＤＤ）の電位よりも高くなる場合にも、内部回路を過電圧から保護することができる。
【００３１】
差動増幅器ＯＰ１０はさらに、非反転入力端子Ｔ２と第１定電位部位（ＧＮＤ）の電位差が広がる場合にも、また、非反転入力端子Ｔ２の電位ＶＰが第１定電位部位（ＧＮＤ）の電位よりも低くなる場合にも、内部回路を過電圧から保護することができる。
【００３２】
差動増幅器ＯＰ１０では、非反転入力端子Ｔ２と第１定電位部位（ＧＮＤ）の電位差が広がる場合に、非反転入力端子Ｔ２から第７ダイオードＤ７と第５ダイオードＤ５を介して第１定電位部位（ＧＮＤ）に向けて電流が流れる。また、差動増幅器ＯＰ１０では、非反転入力端子Ｔ２の電位ＶＰが第１定電位部位（ＧＮＤ）の電位よりも低くなる場合に、第１定電位部位（ＧＮＤ）から第５ダイオードＤ５と第６ダイオードＤ６を介して非反転入力端子Ｔ２に向けて電流が流れる。このように、差動増幅器ＯＰ１０は、非反転入力端子Ｔ２と第１定電位部位（ＧＮＤ）の電位差が広がる場合にも、また、非反転入力端子Ｔ２の電位ＶＰが第１定電位部位（ＧＮＤ）の電位よりも低くなる場合にも、内部回路を過電圧から保護することができる。
【００３３】
差動増幅器ＯＰ１０はさらに、非反転入力端子Ｔ２と第２定電位部位（ＶＤＤ）の電位差が広がる場合にも、また、非反転入力端子Ｔ２の電位ＶＰが第２定電位部位（ＶＤＤ）の電位よりも高くなる場合にも、内部回路を過電圧から保護することができる。
【００３４】
差動増幅器ＯＰ１０では、非反転入力端子Ｔ２と第２定電位部位（ＶＤＤ）の電位差が広がる場合に、第２定電位部位（ＶＤＤ）から第８ダイオードＤ８と第６ダイオードＤ６を介して非反転入力端子Ｔ２に向けて電流が流れる。また、差動増幅器ＯＰ１０では、非反転入力端子Ｔ２の電位ＶＰが第２定電位部位（ＶＤＤ）の電位がよりも高くなる場合に、第２定電位部位（ＶＤＤ）から第７ダイオードＤ７と第８ダイオードＤ８を介して非反転入力端子Ｔ２に向けて電流が流れる。このように、差動増幅器ＯＰ１０は、非反転入力端子Ｔ２と第２定電位部位（ＶＤＤ）の電位差が広がる場合にも、また、非反転入力端子Ｔ２の電位ＶＰが第２定電位部位（ＶＤＤ）の電位よりも高くなる場合にも、内部回路を過電圧から保護することができる。
【００３５】
上記したように、差動増幅器ＯＰ１０では、保護機能が動作する保護電圧はいずれも、実質的に１つのダイオードのみに依存する。このため、差動増幅器ＯＰ１０は、低い保護電圧で過電圧保護機能を発揮することができる。
【００３６】
さらに、差動増幅器ＯＰ１０では、ダイオードＤ２，Ｄ３，Ｄ６，Ｄ７の両端電圧はいずれも等しくなるように調整される。このため、差動増幅器ＯＰ１０では、これらダイオードＤ２，Ｄ３，Ｄ６，Ｄ７を介して第１定電位部位（ＧＮＤ）に流れるリーク電流が抑えられる。
【００３７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３８】
２：電位調整回路
Ｄ１−Ｄ８：ダイオード
ＯＰ１，ＯＰ１０：差動増幅器
ＯＰ２：ボルテージフォロア用オペアンプ
Ｐ１：第１接続点
Ｐ２：第２接続点
Ｔ１：反転入力端子
Ｔ２：非反転入力端子
Ｔ３：出力端子
【図１】
2018078466.tif 000003
【図２】
2018078466.tif 000004